(57)【要約】【課題】２台の送風機を有する室外機が接続された空気調和機において、夏場の夜間に就寝が阻害されるのを防ぐために室外送風機の回転数を下げて対応しているが、静音レベルを３段階設けようとすると送風機のコスト及び駆動回路が複雑になりコストが上がるという課題を有していた。【解決手段】本発明は上記従来の室外送風機制御の欠点を解消するもので、２速のファンモータで３段階に騒音レベルを変えることが可能で、さらに駆動回路も簡単になる空気調和機を提供するものである。【選択図】図１０
2005180842.tif 000002
【特許請求の範囲】
【請求項１】
複数個のファン及びファンモータを搭載した空気調和機の室外ユニットであって、前記ファンモータに設定される回転数は互いに異なる回転数を含むことを特徴とする空気調和機の室外ユニット。
【請求項２】
それぞれ互いに異なる回転数を持つ第１のファンモータと第２のファンモータを内蔵した空気調和機の室外ユニットであって、前記２台のファンモータの運転回転数を組合わせて、送風量あるいは騒音を３段階以上に切換えることを特徴とする、請求項１記載の空気調和機の室外ユニット。
【請求項３】
第１のタイマー時間記憶手段と、第２のタイマー時間記憶手段と、第１のファンモータ駆動手段と、第２のファンモータ駆動手段と、第１のファン速度記憶手段と、第２のファン速度記憶手段を内蔵した空気調和機の室外ユニットであって、静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度の最大値をＭｅに変更し、さらに圧縮機最大周波数をレベル２に設定し、静音設定がレベル３に設定されると、第１及び第２のファンモータ速度の最大値をＭｅに変更し、さらに圧縮機最大周波数をレベル３に設定することにより、２速のスピードを有する２台の室外機ファンモータを使用することにより、送風量あるいは騒音を３段階に切換えることを特徴とする、請求項１〜２のいずれかに記載の空気調和機の室外ユニット。
【請求項４】
静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１及び第２のファンモータ速度の最大値をＭｅに変更し、さらに圧縮機最大周波数をレベル２に設定し、静音設定がレベル３に設定されると、第１のファンモータ速度の最大値をＭｅ、第２のファンモータ速度の最大値をＬｏに変更し、さらに圧縮機最大周波数をレベル３に設定し、静音設定がレベル４に設定されると、第１及び第２のファンモータ速度をＬｏに変更し、さらに圧縮機最大周波数をレベル４に設定することにより３速のスピードを有する２台の室外機ファンモータを使用することにより、送風量あるいは騒音を４段階に切換えることを特徴とする、１〜２のいずれかに記載の空気調和機の室外ユニット。
【請求項５】
静音設定がレベル１に設定されると室外機第１のタイマーがカウントを開始し、設定時間になると第２のタイマーがカウントを開始すると同時に、第２のファンモータ速度を第1のＯＮ時間及び第１のＯＦＦ時間からなる第１の断続運転を行い、さらに圧縮機最大周波数をレベル１に設定し、静音設定がレベル２に設定されると第２のファンモータ速度の最大値を第２のON時間及び第２のＯＦＦ時間からなる第２の断続運転を行い、さらに圧縮機最大周波数をレベル２に設定し、静音設定がレベル３に設定されると、第２のファンモータ速度の最大値を第３のＯＮ時間及び第３のＯＦＦ時間からなる第３の断続運転を行い、さらに圧縮機最大周波数をレベル３に設定することにより、１速のスピードを有する２台の室外機ファンモータを使用することにより、騒音を３段階に切換えることを特徴とする、請求項第１〜２のいずれかに記載の空気調和機の室外ユニット。
【請求項６】
静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度の最大値を第１のON時間及び第１のＯＦＦ時間から
なる第１の断続運転を行い、さらに圧縮機最大周波数をレベル２に設定し、静音設定がレベル３に設定されると、第１のファンモータ速度の最大値を第２のＯＮ時間及び第２のＯＦＦ時間からなる第２の断続運転を行い、さらに圧縮機最大周波数をレベル３に設定することにより、１速のスピードを有する第１のファンモータ及び２速のスピードを有する第２の室外機ファンモータを使用することにより、送風量あるいは騒音を３段階に切換えることを特徴とする、請求項１〜２のいずれかに記載の空気調和機の室外ユニット。
【発明の詳細な説明】
【技術分野】
【０００１】
本発明は、２台のファンとファンモータを搭載した空気調和機の室外ユニットに関するもので、さらに詳しくは前記ファンモータの制御に関するものである。
【背景技術】
【０００２】
従来、この種の空気調和機の室外ユニットは２台のファンモータを搭載し、図１のフローチャート及び図２のタイムチャート並びに図３のブロック図に示すように、夏場の夜間に室外送風機の騒音を低減する静音設定モードを有している。
【０００３】
しかし静音設定レベルを３段階設けようとすると、２台の室外ファンモータは通常は最大Ｈｉで運転しているが、静音設定レベル１ではファンモータ２台とも最大Ｍｅ、また静音設定レベル２ではファン速は最大Ｌｏ、さらに静音設定レベル３ではファン速は最大ＳＬｏで運転するため、通常運転状態と合わせると２台のファンモータは夫々４つのファン速を有していなければならない（例えば、特許文献１参照）。
【特許文献１】特開平７−１９６１７号公報
【発明の開示】
【発明が解決しようとする課題】
【０００４】
しかしながら、上記従来の構成では、２台の室外ファンモータに４つのファン速を設けようとすると、ファンモータのコストが上がり、またファンモータを駆動する駆動回路は、速度を切り換えるリレーが各３個必要となって回路が複雑になるという課題を有していた。
【０００５】
本発明はこのような従来の課題を解決するものであり、静音設定レベルは従来通り３あるいは４段階を有しているにも拘らず、比較的簡単な駆動回路構成を可能にした空気調和機の制御方法を提供することを目的とする。
【課題を解決するための手段】
【０００６】
上記課題を解決するために本発明の空気調和機の室外ユニットは、複数個のファン及びファンモータを搭載した空気調和機の室外ユニットであって、前記ファンモータに設定される回転数は互いに異なる回転数を含むもので、この構成をなすことにより、ファンモータに設定された回転数よりも多くの送風量あるいは騒音の組合わせを持つことができる。
【発明の効果】
【０００７】
本発明の空気調和機の室外ユニットは、設定された速度が少ないファンモータであっても、室外ユニットの送風量あるいは騒音のバリエーションを多く持つことができる。
【発明を実施するための最良の形態】
【０００８】
第１の発明は、複数個のファン及びファンモータを搭載した空気調和機の室外ユニットであって、前記ファンモータに設定される回転数は互いに異なる回転数を含むもので、この構成をなすことにより、設定された速度が少ないファンモータであっても、室外ユニットの送風量あるいは騒音のバリエーションを多く持つことができ、比較的安いコストで静音設定モードを設けることができる。
【０００９】
第２の発明は、特に、第１の発明において、それぞれ互いに異なる回転数を持つ第１のファンモータと第２のファンモータを内蔵した空気調和機の室外ユニットであって、前記２台のファンモータの運転回転数を組合わせて、送風量あるいは騒音を３段階以上に切換
えるもので、この構成をなすことにより、設定された速度が少ないファンモータであっても、室外ユニットの送風量あるいは騒音のバリエーションを多く持つことができ、比較的安いコストで静音設定モードを設けることができる。
【００１０】
第３の発明は、特に、第１〜２の発明において、第１のタイマー時間記憶手段と、第２のタイマー時間記憶手段と、第１のファンモータ駆動手段と、第２のファンモータ駆動手段と、第１のファン速度記憶手段と、第２のファン速度記憶手段を内蔵した空気調和機の室外ユニットであって、静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度の最大値をＭｅに変更し、さらに圧縮機最大周波数をレベル２に設定し、静音設定がレベル３に設定されると、第１及び第２のファンモータ速度の最大値をＭｅに変更し、さらに圧縮機最大周波数をレベル３に設定することにより、２速のスピードを有する２台の室外機ファンモータを使用することにより、送風量あるいは騒音を３段階に切換えるもので、この構成をなすことにより、設定された速度が少ないファンモータであっても、室外ユニットの送風量あるいは騒音のバリエーションを多く持つことができ、比較的安いコストで静音設定モードを設けることができる。
【００１１】
第４の発明は、特に、第１〜２の発明において、静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１及び第２のファンモータ速度の最大値をＭｅに変更し、さらに圧縮機最大周波数をレベル２に設定し、静音設定がレベル３に設定されると、第１のファンモータ速度の最大値をＭｅ、第２のファンモータ速度の最大値をＬｏに変更し、さらに圧縮機最大周波数をレベル３に設定し、静音設定がレベル４に設定されると、第１及び第２のファンモータ速度をＬｏに変更し、さらに圧縮機最大周波数をレベル４に設定することにより３速のスピードを有する２台の室外機ファンモータを使用することにより、送風量あるいは騒音を４段階に切換えるもので、この構成をなすことにより、設定された速度が少ないファンモータであっても、室外ユニットの送風量あるいは騒音のバリエーションを多く持つことができ、比較的安いコストで静音設定モードを設けることができる。
【００１２】
第５の発明は、特に、第１〜２の発明において、静音設定がレベル１に設定されると室外機第１のタイマーがカウントを開始し、設定時間になると第２のタイマーがカウントを開始すると同時に、第２のファンモータ速度を第1のＯＮ時間及び第１のＯＦＦ時間からなる第１の断続運転を行い、さらに圧縮機最大周波数をレベル１に設定し、静音設定がレベル２に設定されると第２のファンモータ速度の最大値を第２のＯＮ時間及び第２のＯＦＦ時間からなる第２の断続運転を行い、さらに圧縮機最大周波数をレベル２に設定し、静音設定がレベル３に設定されると、第２のファンモータ速度の最大値を第３のＯＮ時間及び第３のＯＦＦ時間からなる第３の断続運転を行い、さらに圧縮機最大周波数をレベル３に設定することにより、１速のスピードを有する２台の室外機ファンモータを使用することにより、騒音を３段階に切換えるもので、この構成をなすことにより、設定された速度が少ないファンモータであっても、室外ユニットの送風量あるいは騒音のバリエーションを多く持つことができ、比較的安いコストで静音設定モードを設けることができる。
【００１３】
第６の発明は、特に、第１〜２の発明において、静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度
の最大値を第１のＯＮ時間及び第１のＯＦＦ時間からなる第１の断続運転を行い、さらに圧縮機最大周波数をレベル２に設定し、静音設定がレベル３に設定されると、第１のファンモータ速度の最大値を第２のＯＮ時間及び第２のＯＦＦ時間からなる第２の断続運転を行い、さらに圧縮機最大周波数をレベル３に設定することにより、１速のスピードを有する第１のファンモータ及び２速のスピードを有する第２の室外機ファンモータを使用することにより、送風量あるいは騒音を３段階に切換えるもので、この構成をなすことにより、設定された速度が少ないファンモータであっても、室外ユニットの送風量あるいは騒音のバリエーションを多く持つことができ、比較的安いコストで静音設定モードを設けることができる。
【００１４】
以下、本発明の実施の形態について図面を参照して説明する。なお、この実施の形態によって本発明が限定されるものではない。
【００１５】
（実施の形態１）
第８図は発明の第１の実施例を示す冷凍サイクル図である。同図において、冷凍サイクルは能力可変型圧縮機１、室内側熱交換器２、室内送風機３、室内膨張弁４、室外側熱交換器５、室外送風機６及び７、暖房運転と除霜運転を切換える４方弁８、室温を検出するサーミスタ９、室内熱交換器出口温度を検出するサーミスタ１０、とで構成されている。暖房運転時には４方弁８が切り変わることにより、同図の矢印の方向に冷媒が流れるようになっている。
【００１６】
次に第９図フローチャート及び第１０図のタイムチャートにより、制御の動作を説明する。
冷房運転、暖房運転または除湿運転開始時において、静音設定モードをセットすると、セットされた時刻と静音モード開始時刻との差から第１のタイマーがカウントを開始し第１のタイマーが満了して設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度の最大値をＭｅに変更し、さらに圧縮機最大周波数をレベル２に設定されるため音が下がる。静音設定がレベル３に設定されると、第１及び第２のファンモータ速度の最大値をＭｅに変更し、さらに圧縮機最大周波数をレベル３に設定される。ここで第１のファンモータと第２のファンモータのHiとMeはそれぞれ別々に設定されており、第１のファン速と第２のファン速に、第１のファン速Ｈｉ＋第２のファン速Ｍｅ＞第１のファン速Ｍｅ＋第２のファン速Ｈｉの関係があり、騒音は回転数に比例するため、第１のファン速Ｍｅ＋第２のファン速Ｈｉの組合せの方が音が下がる。また圧縮機の最大周波数にレベル１＞レベル２＞レベル３の関係があり、また圧縮機の音は周波数に比例するため音が下がる。このように２つのファン速を有する２台の室外機ファンモータを使用することにより、騒音を３段階に低減することができる。
【００１７】
次に第１１図フローチャート及び第１２図のタイムチャートにより、本発明の第２案の実施例について説明する。
【００１８】
冷房、暖房または除湿運転において、第１のファンモータと第２のファンモータは同一の回転数設定となっており、静音設定がレベル１に設定されると、第１のファンモータはＨｉのままであるが、第２のファンモータ速度の最大値をＭｅに変更し、さらに圧縮機最大周波数をレベル１に設定されるため音が下がる。静音設定がレベル２に設定されると第１及び第２のファンモータ速度の最大値をＭｅに変更し、さらに圧縮機最大周波数をレベル２に設定されるため音が下がる。
【００１９】
静音設定がレベル３に設定されると、第１のファンモータ速度の最大値をＭｅ、第２の
ファンモータ速度の最大値をＬｏに変更し、さらに圧縮機最大周波数をレベル３に設定されるため音が下がる。静音設定がレベル４に設定されると、第１及び第２のファンモータ速度をＬｏに変更し、さらに圧縮機最大周波数をレベル４に設定することにより３つのファン速を有する２台の室外機ファンモータを使用することにより、騒音を４段階に低減することができる。
【００２０】
（実施の形態２）
次に第１３図フローチャート及び第１４図のタイムチャートにより、本発明の第３案の実施例について説明する。
【００２１】
冷房、暖房または除湿運転において、静音設定がレベル１に設定されると室外機第１のタイマーがカウントを開始し、設定時間になると第２のタイマーがカウントを開始すると同時に、第２のファンモータ速度を第1のＯＮ時間及び第１のＯＦＦ時間からなる第１の断続運転を行い、さらに圧縮機最大周波数をレベル１に設定し、静音設定がレベル２に設定されると第２のファンモータ速度の最大値を第２のＯＮ時間及び第２のＯＦＦ時間からなる第２の断続運転を行い、さらに圧縮機最大周波数をレベル２に設定し、静音設定がレベル３に設定されると、第２のファンモータ速度の最大値を第３のＯＮ時間及び第３のＯＦＦ時間からなる第３の断続運転を行い、さらに圧縮機最大周波数をレベル３に設定することにより、１速のスピードを有する２台の同一室外機ファンモータを使用することにより、騒音を３段階に低減することができる。ここでファンモータの断続運転方法については、図１５に示すようにソリッドステートリレー（以下ＳＳＲと言う）を用いて、第１の断続運転でのＯＮ時間は１．８秒、ＯＦＦ時間は０．２秒の設定となっており、また２台のファンモータのうち１台のみ断続運転となるため、２台合せた騒音は実際はほとんど連続音として聞こえる。第２の断続運転では、ＯＮ時間１．６秒、ＯＦＦ時間０．４秒の設定としており、ＯＮ時間が短くＯＦＦ時間が長いため第１の断続運転より音は低く聞こえる。また第３の断続運転では、ＯＮ時間１．４秒、ＯＦＦ時間０．６秒の設定としているため、第２の断続運転より音は低く聞こえる。
【００２２】
（実施の形態３）
次に第１６図フローチャート及び第１７図のタイムチャートにより、本発明の第４案の実施例について説明する。
【００２３】
冷房、暖房または除湿運転において、静音設定がレベル１に設定されると室外機第１のタイマーがカウントを開始し、設定時間になると第２のタイマーがカウントを開始すると同時に、第２のファンモータ速度の最大値をＭｅに変更し、さらに圧縮機最大周波数をレベル１に設定し、静音設定がレベル２に設定されると第１のファンモータ速度の最大値を第１のＯＮ時間及び第１のＯＦＦ時間からなる第１の断続運転を行い、さらに圧縮機最大周波数をレベル２に設定し、静音設定がレベル３に設定されると、第１のファンモータ速度の最大値を第２のＯＮ時間及び第２のＯＦＦ時間からなる第２の断続運転を行い、さらに圧縮機最大周波数をレベル３に設定することにより、１つのファン速を有する第１のファンモータ及び２つのファン速を有する第２の室外機ファンモータを使用することにより、騒音を３段階に低減することができる。
【００２４】
ここで第１の断続運転でのＯＮ時間は１．８秒、ＯＦＦ時間は０．２秒の設定となっておりまた２台のファンモータのうち１台のみ断続運転となるため、２台合せた騒音は実際はほとんど連続音として聞こえる。第２の断続運転では、ＯＮ時間１．６秒、ＯＦＦ時間０．４秒の設定としており、ＯＮ時間が短くＯＦＦ時間が長いため第１の断続運転より音は低く聞こえる。
【産業上の利用可能性】
【００２５】
以上のように、本発明に係る空気調和機の室外ユニットは、少ないファン速設定で、バリエーションに富んだ送風量あるいは騒音を制御することができ、制御回路やモータのコストを低減することができるので、空気調和機のほか、冷却ファンを複数搭載した電気製品全般に応用することができる。
【図面の簡単な説明】
【００２６】
【図１】従来の室外送風機制御方法のフローチャート
【図２】従来の室外送風機制御方法のタイムチャート
【図３】従来の室外送風機制御方法のブロック図
【図４】本発明の第１の実施形態を示す室外送風機制御方法のブロック図
【図５】本発明の第２の実施形態を示す室外送風機制御方法のブロック図
【図６】本発明の第３の実施形態を示す室外送風機制御方法のブロック図
【図７】本発明の第４の実施形態を示す室外送風機制御方法のブロック図
【図８】本発明の第１の実施形態を示す室外送風機制御方法の冷凍サイクル図
【図９】本発明の第１の実施形態を示す室外送風機制御方法のフローチャート
【図１０】本発明の第１の実施形態を示す室外送風機制御方法のタイムチャート
【図１１】本発明の第２の実施形態を示す室外送風機制御方法のフローチャート
【図１２】本発明の第２の実施形態を示す室外送風機制御方法のタイムチャート
【図１３】本発明の第３の実施形態を示す室外送風機制御方法のフローチャート
【図１４】本発明の第３の実施形態を示す室外送風機制御方法のタイムチャート
【図１５】本発明の第３の実施形態を示す室外送風機断続運転制御方法のタイムチャート
【図１６】本発明の第４の実施形態を示す室外送風機制御方法のフローチャート
【図１７】本発明の第４の実施形態を示す室外送風機制御方法のタイムチャート
【符号の説明】
【００２７】
１  圧縮機
２  室内熱交換器
３  室内送風機
４  室外膨張弁
５  室外熱交換器
６  第１の室外送風機
７  第２の室外送風機
８  ４方弁
９  室内吸込み温度センサー
１０  室内熱交温度センサー
１１  室内熱交出口温度センサー
【図１】
2005180842.tif 000003
【図２】
2005180842.tif 000004
【図３】
2005180842.tif 000005
【図４】
2005180842.tif 000006
【図５】
2005180842.tif 000007
【図６】
2005180842.tif 000008
【図７】
2005180842.tif 000009
【図８】
2005180842.tif 000010
【図９】
2005180842.tif 000011
【図１０】
2005180842.tif 000012
【図１１】
2005180842.tif 000013
【図１２】
2005180842.tif 000014
【図１３】
2005180842.tif 000015
【図１４】
2005180842.tif 000016
【図１５】
2005180842.tif 000017
【図１６】
2005180842.tif 000018
【図１７】
2005180842.tif 000019